(57)【要約】【課題】  公営競技のオッズの表示に関し、三連勝複式の投票方式に対するオッズの表示を２つの競技体の組合せのそれぞれ対して３つ目の競技体を組み合わせたときのオッズを最小値と最大値で表示する三連複オッズ表示プログラムと三連複オッズ表示方法、および三連複オッズ表示装置を提供することを目的とする。【解決手段】  三連複のオッズ情報を格納した三連複オッズ情報部を参照して、１レースに出走する競技体から２つの取り得る組合せのそれぞれに対し、３つ目の競技体を組み合わせた場合の最小値と最大値を抽出する２軸オッズ抽出手順と、抽出したオッズを表示する表示手順とで構成する。【選択図】    図１
2005275799.tif 000002
【特許請求の範囲】
【請求項１】
三連勝複式のオッズ情報を格納した三連複オッズ情報部を有するトータリゼータシステムの三連複オッズ表示プログラムであって、
前記三連複オッズ情報部を参照して、１レースに出走する競技体から組合せ得る２つの競技体のそれぞれに対し、該２つの競技体の残りの競技体から残りの１つの競技体を組み合わせた場合のオッズの最小値と最大値とを抽出する２軸オッズ抽出手順と、
前記２軸オッズ抽出手順で求めたオッズの最小値と最大値を一覧で表示するオッズ表示手順と
をコンピュータに実行させることを特徴とした三連複オッズ表示プログラム。
【請求項２】
三連勝複式のオッズ情報を格納した三連複オッズ情報部を有するトータリゼータシステムの三連複オッズ表示プログラムであって、
前記三連複オッズ情報部を参照して、１レースに出走する１つの競技体のそれぞれに対し、該１つの競技体の残りの競技体から組合せ得る２つの競技体を組み合わせた場合のオッズの最小値と最大値とを抽出する１軸オッズ抽出手順と、
前記三連複オッズ情報部を参照して、１レースに出走する競技体から組合せ得る２つの競技体のそれぞれに対し、該２つの競技体の残りの競技体から残りの１つの競技体を組み合わせた場合のオッズの最小値と最大値とを抽出する２軸オッズ抽出手順と、
前記１軸オッズ抽出手順と前記２軸オッズ抽出手順で求めたオッズの最小値と最大値を一覧で表示するオッズ表示手順と
をコンピュータに実行させることを特徴とした三連複オッズ表示プログラム。
【請求項３】
三連勝複式のオッズ情報を格納した三連複オッズ情報部を有するトータリゼータシステムの三連複オッズ表示方法であって、
前記三連複オッズ情報部を参照して、１レースに出走する競技体から組合せ得る２つの競技体のそれぞれに対し、該２つの競技体の残りの競技体から残りの１つの競技体を組み合わせた場合のオッズの最小値と最大値とを抽出する２軸オッズ抽出手順と、
前記２軸オッズ抽出手順で求めたオッズの最小値と最大値を一覧で表示するオッズ表示手順と
を有することを特徴とした三連複オッズ表示方法。
【請求項４】
三連勝複式のオッズ情報を格納した三連複オッズ情報部を有するトータリゼータシステムの三連複オッズ表示方法であって、
前記三連複オッズ情報部を参照して、１レースに出走する１つの競技体のそれぞれに対し、該１つの競技体の残りの競技体から組合せ得る２つの競技体を組み合わせた場合のオッズの最小値と最大値とを抽出する１軸オッズ抽出手順と、
前記三連複オッズ情報部を参照して、１レースに出走する競技体から組合せ得る２つの競技体のそれぞれに対し、該２つの競技体の残りの競技体から残りの１つの競技体を組み合わせた場合のオッズの最小値と最大値とを抽出する２軸オッズ抽出手順と、
前記１軸オッズ抽出手順と前記２軸オッズ抽出手順で求めたオッズの最小値と最大値を一覧で表示するオッズ表示手順と
を有することを特徴とした三連複オッズ表示方法。
【請求項５】
三連勝複式のオッズ情報を格納した三連複オッズ情報部を有するトータリゼータシステムの三連複オッズ表示装置であって、
前記三連複オッズ情報部を参照して、１レースに出走する競技体から組合せ得る２つの競技体のそれぞれに対し、該２つの競技体の残りの競技体から残りの１つの競技体を組み合わせた場合のオッズの最小値と最大値とを抽出する２軸オッズ抽出手段と、
前記２軸オッズ抽出手段で求めたオッズの最小値と最大値を一覧で表示するオッズ表示手段と
を有することを特徴とした三連複オッズ表示装置。
【請求項６】
三連勝複式のオッズ情報を格納した三連複オッズ情報部を有するトータリゼータシステムの三連複オッズ表示装置であって、
前記三連複オッズ情報部を参照して、１レースに出走する１つの競技体のそれぞれに対し、該１つの競技体の残りの競技体から組合せ得る２つの競技体を組み合わせた場合のオッズの最小値と最大値とを抽出する１軸オッズ抽出手段と、
前記三連複オッズ情報部を参照して、１レースに出走する競技体から組合せ得る２つの競技体のそれぞれに対し、該２つの競技体の残りの競技体から残りの１つの競技体を組み合わせた場合のオッズの最小値と最大値とを抽出する２軸オッズ抽出手段と、
前記１軸オッズ抽出手段と前記２軸オッズ抽出手段で求めたオッズの最小値と最大値を一覧で表示するオッズ表示手段と
を有することを特徴とした三連複オッズ表示装置。
【発明の詳細な説明】
【技術分野】
【０００１】
本発明は、トータリゼータのオッズ情報の表示に関し、より詳細には三連勝複式のオッズ情報の表示を行う三連複オッズ表示プログラム、三連複オッズ表示方法および三連複オッズ表示装置に関する。
【背景技術】
【０００２】
競馬や競輪、競艇など公営競技のフアンは多く、人気は根強いものがある。これらの競技を運営する団体は、フアンの購入意欲を刺激するためにより高い配当が期待できる投票方式の導入を行っている。例えば、競馬競技ではＪＲＡ（Ｊａｐａｎ  Ｒａｃｉｎｇ  Ａｓｓｏｃｉａｔｉｏｎ）が最近において３連勝複式の導入を行い、２００４年下期には３連勝単式の導入が予想されている。
【０００３】
三連勝複式投票方式（以降、三連複と言う）は、３着までに入る馬や舟あるいは車を順不同で予想して投票する投票方式である。この３着までを的中する組合せの数（即ち、賭け目）は、レースに出走する数から３つを取り得る組合せとなり、例えば１６頭立ての競馬のレースでは１６頭から３頭を取り得る組合せで５６０とおりである。従って、的中率は１／５６０となる。
【０００４】
また、三連勝単式投票方式（以降、三連単と言う）は、１着、２着、３着になる馬や舟あるいは車のそれぞれの着順を予想して投票する投票方式である。この場合の組合せは、レースに出場する数から３つを取り得る順列の数で、前述と同様に１６頭立ての競馬のレースでは、３，３６０とおりである。従って、的中率は１／３，３６０となり、３連複に較べて的中率が低くなるが、その分配当は高くなる。
【０００５】
オッズは、そのレースに対する馬券（正式名称は勝馬投票券）あるいは舟券（同、勝舟投票券）、車券（同、勝車投票券）に対する払い戻し倍率のことである。このオッズは場内のモニターなどでリアルタイムに表示され、投票者に対して情報提供を行っている。オッズは馬あるいは舟、車の人気そのものを示すことになり、投票者（投票券を購入しょうとする人）はこの提供されたオッズを参考にして購入することを行っている。したがってオッズの表示は、そのレースに対する全ての賭け目に対して情報提供することが望ましいが、三連複や三連単となると上記に示したようにその賭け目の数が多くなりモニターの表示が困難になってきている。このためにはモニターを増設すればよいが、多大の投資を要することになり問題がある。また、表示文字を小さくして多くの情報を表示することが考えられるが、多くの人に一度に見れるようにするには文字サイズを小さくすることに実用上の限界がある。この問題を解決するため、投票者に最低限必要な情報量を確保しながら表示する情報量を減らす提案がなされている。
【０００６】
例えば、投票者に見たいオッズ情報を入力させ、その入力された情報に基づいてオッズを表示する方法が提案されている。膨大なオッズ情報の中から、必要な情報だけを表示するので従来のモニターを用いながら実用的な文字サイズで表示できる提案である（特許文献１）。
【０００７】
また、三連単の表示方法として、１着と２着の組合せに対し、残りの３着を組み合わせたときのオッズの最小値と最大値を表示することで、表示する情報量の削減を図る提案もある。例えば１６頭立ての三連単の賭け目は上記に示したように３，３６０あるが、本方法によれば２４０の賭け目を表示すればよいことになる（特許文献２）。
【特許文献１】特開２００３−１０８７００号公報
【特許文献２】特開２００１−２４３３９４号公報
【発明の開示】
【発明が解決しようとする課題】
【０００８】
上記に示したように、三連複や三連単の投票方式によるオッズの表示は、表示する情報量が多くなり、モニターの表示が困難、という問題がある。
【０００９】
しかし、この問題の解決のために提案された特許文献１は、必要な情報だけを表示するので表示する情報の大幅な削減が期待できるものの、投票者がレースの度に入力する必要があり投票者にとっては面倒である。また、投票者が入力する度に賭け目の表示位置が変化することが考えられ、見ずらいものとなる。
【００１０】
また、特許文献２で提案された方法は、三連単の投票方式に対してオッズ情報の表示は少なくなるが、三連複に対しては考慮がなされていない、と言う問題がある。
【００１１】
本発明は、三連複のオッズ表示において情報量を削減して表示する三連複オッズ表示プログラム、三連複オッズ表示方法および三連複オッズ表示装置を提供する。
【課題を解決するための手段】
【００１２】
本発明の三連複オッズ表示プログラムおよびその方法は以下のように構成される。
（１）第１の発明
第１の発明は、三連複の投票方式において、２つの競技体の組合せのそれぞれに対し３つ目の競技体を組合せた場合の最小値と最大値のオッズを求め、表示する三連複オッズ表示プログラムである。
【００１３】
その原理を図１を用いて説明する。第１の発明は、図１に示すように２軸オッズ抽出手順１０およびオッズ表示手順２０で構成する。
【００１４】
２軸オッズ抽出手順１０は、三連複のオッズ情報を格納した三連複オッズ情報部３０を参照して、１レースに出走する競技体から組合せ得る２つの競技体のそれぞれに対して、残りの１つの競技体を組み合わせたときのオッズの最小値と最大値を求める（抽出する）。ここで競技体とは、競馬レースであれば馬、競輪であれば自転車のことであり、競技を行う物体を言う。従って、例えば競馬であれば１レースに出場する馬が１６頭（即ち、１６頭立て）であればこの１６頭が競技体であり、そしてこの１６頭の中から２頭の組合せの全てに対して、残りの１頭を組み合わせた場合のオッズの最小値と最大値を求める。より具体的には、例えば１番と２番の馬の組合せに対し、３〜１６番の馬を組み合わせたときのオッズを調べ、そのオッズの中から最小値と最大値を求める。次に、１番と３番の組合せ、１番と４番の組合せ、・・・１５番と１６番の組合せの合計１２０とおりの組合せに対して最小値と最大値を求める。
【００１５】
オッズ表示手順２０は、２軸オッズ抽出手順１０で求めた最小値と最大値のオッズを表示する。
（２）第２の発明
第２の発明は、三連複の投票方式において、１つの競技体に対する他の２つ競技体を組み合わせたときのオッズの最小値と最大値と、第１の発明で求めた２つの競技体の組合せに対する他の１つの競技体を組み合わせたオッズの最小値と最大値とを表示する三連複オッズ表示プログラムである。
【００１６】
その原理は図２に示すように１軸オッズ抽出手順４０、２軸オッズ抽出手順１０およびオッズ表示手順２１で構成する。
【００１７】
１軸オッズ抽出手順４０は、三連複のオッズ情報を格納した三連複オッズ情報部３０を参照し、１レースに出場する競技体のそれぞれに対して、その競技体の残りの競技体から２つの競技体を組み合わせた場合のオッズの最小値と最大値を求める。前述と同様に、１６頭立ての競馬であれば、この１６頭の馬のそれぞれに対して、その馬以外の馬（即ち、１５頭の馬）の中から組合せ得る２頭のオッズの最小値と最大値を求める。言い換えると、１６頭の馬のそれぞれに対して、その馬を含む３頭の馬の組合せのオッズの最小値と最大値を求めることになる。従って、１番から１６番の馬の１６とおりの最小値と最大値のオッズが求まる。
【００１８】
２軸オッズ抽出手順１０は、第１の発明と同様であるので説明を省略する。
【００１９】
オッズ表示手順２１は、１軸オッズ抽出手順４０で求めたオッズと２軸オッズ抽出手順１０で求めたオッズとを編集して表示する。
（３）第３の発明
第３の発明は第１の発明に基づいた三連複オッズの表示方法である。
（４）第４の発明
第４の発明は第２の発明に基づいた三連複オッズの表示方法である。
（５）第５の発明
第５の発明は第１の発明に基づいた三連複オッズの表示装置である。
（６）第６の発明
第６の発明は第２の発明に基づいた三連複オッズの表示装置である。
【発明の効果】
【００２０】
第１の発明により、三連複のオッズの情報量を削減して（例えば、１６頭立ての競馬では５６０の組合せを１２０の組合せに削減）表示できるプログラム提供ができる。
【００２１】
第２の発明により、第１の発明の効果に加えて、それぞれの競技体のオッズをマクロに捉えることができるオッズの表示できるプログラム提供ができる。
【００２２】
第３の発明により、三連複のオッズの情報量を削減して表示する方法の提供ができる。      
【００２３】
第４の発明により、三連複のオッズの情報量を削減して表示できる効果に加えて、それぞれの競技体のオッズをマクロに捉えることができるオッズの表示方法が提供できる。
【００２４】
第５の発明により、三連複のオッズの情報量を削減して表示する装置の提供ができる。      
【００２５】
第６の発明により、三連複のオッズの情報量を削減して表示できる効果に加えて、それぞれの競技体のオッズをマクロに捉えることができるオッズの表示装置が提供できる。
【発明を実施するための最良の形態】
【００２６】
１つの競技体を主体に残りの２つの競技体組合せ、および２つの競技体の組合せを主体に残りの１つの競技体の組合せに対する三連複の最小値と最大値のオッズを自動的に求め、表示ができるように実現した。
【実施例】
【００２７】
本発明の実施例について図３から図５を用いて説明する。
【００２８】
図３は本発明の実施例のオッズ表示装置の構成例を示すものである。オッズ表示装置１００は、プログラムやデータおよび通信を制御するＣＰＵ１１０、データの受信を制御する回線制御部１２０、モニター１４０を制御する表示制御部１３０、三連複オッズを表示するためのプログラムである三連複オッズ表示プログラム１５０、同プログラム１５０の処理により回線から受信した三連複オッズ情報を格納するオッズ情報記憶部１６０および同プログラム１５０の処理により求めたオッズを格納する表示オッズ情報記憶部１７０から構成する。
【００２９】
さらに三連複オッズ表示プログラム１５０は、オッズ情報受信部１５１、１・２軸オッズ抽出部１５２およびオッズ表示部１５３から構成する。それらの概要を次に述べる。
【００３０】
オッズ情報受信部１５１は、回線制御部１２０を介してホストコンピュータから三連複オッズ情報を受信する。そして、受信したこれらの情報をオッズ情報記憶部１６０に格納する。
【００３１】
１・２軸オッズ抽出部１５２は、オッズ情報記憶部１６０の三連複オッズ情報を参照しながら、まず１軸オッズ（そのレースに出走する競技体のそれぞれを主体にその競技体を含む組合せの最小値と最大値のオッズ）を求め、次に２軸オッズ（そのレースに出走する２つの競技体の組合せを主体に他の競技体を組み合わせたときの最小値と最大値のオッズ）を抽出する。そして、抽出した１軸および２軸オッズは表示オッズ情報記憶部１７０に格納する。
【００３２】
オッズ表示部１５３は、表示オッズ情報記憶部１７０に格納されているオッズを表示制御部１３０を介してモニター１４０に表示する。
【００３３】
次に、オッズ表示装置１００の処理フローを図４を用いて説明するが、ここでは競馬の１６頭立てのレースを例にとり、三連複のオッズを表示するための処理に限定して説明する。
【００３４】
まず、図示しないホストコンピュータから回線制御部１２０を介して三連複オッズ情報を受信する。受信するタイミングは、レースの始まる前の所定時間から一定時間間隔毎に受信し、その都度以降に示す処理を行ってモニター１４０に表示する。受信した三連複オッズ情報は、何ら情報の加工することなしにそのままオッズ情報記憶部１６０に格納する。また、受信した三連複オッズ情報は三連複の全ての組合せに対するオッズの情報である。即ち、１６頭立てのレースであるので３，３６０の組合せそれぞれに対するオッズ情報である。これらのオッズ情報は、図示しないホストコンピュータがこのホストコンピュータと接続している投票券発券機（馬券発券機）からの発券情報を基に三連複のオッズを計算したものである。この処理は、図３の構成ではオッズ情報受信部１５１で行われる。（Ｓ１１）。
【００３５】
次に、オッズ情報記憶部１６０を参照して１軸によるオッズの最小値と最大値を求める。即ち、１番〜１６番のそれぞれの馬番に対して、３，３６０の組合せからこの馬番を含む組合せのオッズを抽出し、最小値と最大値を抽出する。ここで求めたオッズは表示オッズ情報記憶部１７０に格納する。続いて、２軸によるオッズを求める。１軸と同様にオッズ記憶部１６０を参照して、３，３６０の組合せの中から２頭の馬番の組合せに対するオッズの最小値と最大値を抽出する。２頭の馬番の組合せは２４０とおりあるから、それぞれの組合せを含むオッズ情報の最小値と最大値を抽出することになる。抽出したオッズは表示オッズ情報記憶部１７０に格納する。以上の処理は、図３の構成では、１・２軸オッズ抽出部１５２で行われる。（Ｓ１２、Ｓ１３）。
【００３６】
以上で表示するオッズが求められたので、表示オッズ情報記憶部１７０をから１軸と２軸のオッズを取り出し、これらの情報を編集して所定のフォーマットでモニター１４０に表示する。この三連複のオッズ表示の例を図５に示す。図５では、賭け目（組合せ）に対するオッズを示すもので、「１がらみ」の１軸のオッズに続いて２軸のオッズを示し、続いて「２がらみ」の１軸のオッズに続いて２軸のオッズ、と言うように表示している。即ち、「１がらみ」の１軸オッズである「１−☆−☆」は最小のオッズが「１．４」で最大のオッズが「１００．７」、次の２軸オッズの「１−２−☆」では最小のオッズが「１．４」で最大のオッズが「１０．２」（以下同様）であることを示している。（Ｓ１４）
【図面の簡単な説明】
【００３７】
【図１】第１の発明の原理図である。
【図２】第２の発明の原理図である。
【図３】実施例のオッズ表示装置の構成例である。
【図４】三連複オッズ表示プログラムの処理フロー例である。
【図５】三連複オッズの表示例である。
【符号の説明】
【００３８】
１０    ２軸オッズ抽出手順
２０    オッズ表示手順
２１    オッズ表示手順
３０    三連複オッズ情報部
４０    １軸オッズ抽出手順
１００  オッズ表示装置
１１０  ＣＰＵ
１２０  回線制御部
１３０  表示制御部
１４０  モニター
１５０  三連複オッズ表示プログラム
１５１  オッズ情報受信部
１５２  １・２軸オッズ抽出部
１５３  オッズ表示部
１６０  オッズ情報記憶部
１７０  表示オッズ情報記憶部
【図１】
2005275799.tif 000003
【図２】
2005275799.tif 000004
【図３】
2005275799.tif 000005
【図４】
2005275799.tif 000006
【図５】
2005275799.tif 000007